【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
ディスプレイ装置に接続して使用される踏み位置明示装置であって、
踏み動作を検出する複数の検出手段を含む入力装置と、
各々対応する前記検出手段に応答する複数の応答オブジェクトを生成して前記ディスプレイ装置に表示する画像生成手段と、
前記検出手段が踏まれたことを検知している期間中、対応する前記応答オブジェクトの表示を、前記検出手段が踏まれたことを検知していないときの前記応答オブジェクトの表示と異ならせる応答オブジェクト制御手段と、を備える踏み位置明示装置。
【請求項２】
前記応答オブジェクト制御手段は、前記検出手段が踏まれたことを検知している期間中、対応する前記応答オブジェクトの形態を、前記検出手段が踏まれたことを検知していないときの前記応答オブジェクトの形態と異ならせる、請求項１記載の踏み位置明示装置。
【請求項３】
前記応答オブジェクトの異なる前記形態は、形状、模様、若しくは色彩又はこれらの結合によって表される、請求項２記載の踏み位置明示装置。
【請求項４】
ディスプレイ装置に接続して使用される足踏み式運動装置であって、
踏み動作を検出する複数の検出手段を含む入力装置と、
各々対応する前記検出手段に応答する複数の応答オブジェクト、及び、前記応答オブジェクトに対応する移動経路上で移動する移動オブジェクト、を生成して前記ディスプレイ装置に表示する画像生成手段と、
音楽を出力する音楽出力手段と、
前記移動オブジェクトが前記音楽に合うように、前記移動オブジェクトの運動を制御する移動オブジェクト制御手段と、
前記検出手段により踏み動作が検知されたときに、対応する前記応答オブジェクトの表示の様式を変化させる応答オブジェクト制御手段と、を備え、
前記移動オブジェクト制御手段は、前記移動オブジェクトが、その移動経路上の所定範囲内に存在するときに、対応する前記検出手段が踏み動作を検知した場合に、その移動オブジェクトの表示の様式を変化させ、
前記応答オブジェクト制御手段は、前記検出手段が踏まれたことを検知している期間中、対応する前記応答オブジェクトの表示を、前記検出手段が踏まれたことを検知していないときの前記応答オブジェクトの表示と異ならせる、足踏み式運動装置。
【請求項５】
ディスプレイ装置に接続して使用される足踏み式運動装置であって、
踏み動作を検出する複数の検出手段を含む入力装置と、
各々対応する前記検出手段に応答する複数の応答オブジェクト、及び、前記応答オブジェクトに対応する移動経路上で移動する移動オブジェクト、を生成して前記ディスプレイ装置に表示する画像生成手段と、
音楽を出力する音楽出力手段と、
前記移動オブジェクトが前記音楽に合うように、前記移動オブジェクトの運動を制御する移動オブジェクト制御手段と、  
前記検出手段により踏み動作が検知されたときに、対応する前記応答オブジェクトの表示の様式を変化させる応答オブジェクト制御手段と、
プレイヤからの入力情報を受けて、プレイ時間を設定するプレイ時間設定手段と、
設定されたプレイ時間の経過後に、前記音楽出力手段に前記音楽の出力を終了させ、及び／又は、前記画像生成手段に終了を直接的若しくは間接的に表す画像を生成させる終了制御手段と、を備え、
前記移動オブジェクト制御手段は、前記移動オブジェクトが、その移動経路上の所定範囲内に存在するときに、対応する前記検出手段が踏み動作を検知した場合に、その移動オブジェクトの表示の様式を変化させる、足踏み式運動装置。
【請求項６】
ディスプレイ装置に接続して使用される足踏み式運動装置であって、
踏み動作を検出する複数の検出手段を含む入力装置と、
各々対応する前記検出手段に応答する複数の応答オブジェクト、及び、前記応答オブジェクトに対応する移動経路上で移動する移動オブジェクト、を生成して前記ディスプレイ装置に表示する画像生成手段と、
音楽を再生する音楽再生手段と、
前記移動オブジェクトが前記音楽に合うように、前記移動オブジェクトの運動を制御する移動オブジェクト制御手段と、  
前記検出手段により踏み動作が検知されたときに、対応する前記応答オブジェクトの表示の様式を変化させる応答オブジェクト制御手段と、
プレイヤによる入力情報に従って、再生する音楽の数あるいは回数を設定する数設定手段と、
設定された数あるいは回数の音楽の再生終了後に、前記画像生成手段に終了を直接的若しくは間接的に表す画像を生成させる終了制御手段と、を備え、
前記移動オブジェクト制御手段は、前記移動オブジェクトが、その移動経路上の所定範囲内に存在するときに、対応する前記検出手段が踏み動作を検知した場合に、その移動オブジェクトの表示の様式を変化させる、足踏み式運動装置。
【請求項７】
前記音楽出力手段は、動的に決定される順番あるいは固定の順番に従って、複数の異なる音楽を再生する、請求項５記載の足踏み式運動装置。
【請求項８】
前記音楽再生手段は、動的に決定される順番あるいは固定の順番に従って、複数の異なる音楽を再生する、請求項６記載の足踏み式運動装置。
【請求項９】
前記応答オブジェクト制御手段は、前記検出手段が踏まれたことを検知している期間中、対応する前記応答オブジェクトの表示を、前記検出手段が踏まれたことを検知していないときの前記応答オブジェクトの表示と異ならせる、請求項５又は６記載の足踏み式運動装置。
【請求項１０】
踏み動作を検出する複数の検出手段を含む入力装置を使用する踏み位置明示方法をコンピュータに実行させるコンピュータプログラムであって、前記踏み位置明示方法は、
前記複数の検出手段に対応し、各々対応する前記検出手段に応答する複数の応答オブジェクトを表示するステップと、
前記検出手段が踏まれたことを検知している期間中、対応する前記応答オブジェクトの表示を、前記検出手段が踏まれたことを検知していないときの前記応答オブジェクトの表示と異ならせるステップと、を含むコンピュータプログラム。
【請求項１１】
踏み動作を検出する複数の検出手段を含む入力装置を使用する運動支援方法をコンピュータに実行させるコンピュータプログラムであって、前記運動支援方法は、
音楽を出力するステップと、
前記複数の検出手段に対応し、各々対応する前記検出手段に応答する複数の応答オブジェクトを表示するステップと、
前記応答オブジェクトに対応する移動経路上で移動する移動オブジェクトを表示するステップと、
前記検出手段が踏まれたことを検知している期間中、対応する前記応答オブジェクトの表示を、前記検出手段が踏まれたことを検知していないときの前記応答オブジェクトの表示と異ならせるステップと、を含み、
前記移動オブジェクトを表示する前記ステップは、
前記移動オブジェクトが前記応答オブジェクトに到達するタイミングが前記音楽に合うように、前記移動オブジェクトを制御するステップと、
前記移動オブジェクトが、その移動経路上の所定範囲内に存在するときに、対応する前記検出手段が踏み動作を検知した場合に、その移動オブジェクトの表示の様式を変化させるステップと、を含むコンピュータプログラム。
【請求項１２】
踏み動作を検出する複数の検出手段を含む入力装置を使用する運動支援方法をコンピュータに実行させるコンピュータプログラムであって、前記運動支援方法は、
音楽を出力するステップと、
前記複数の検出手段に対応し、各々対応する前記検出手段に応答する複数の応答オブジェクトを表示するステップと、
前記応答オブジェクトに対応する移動経路上で移動する移動オブジェクトを表示するステップと、
プレイヤからの入力情報を受けて、プレイ時間を設定するステップと、
設定されたプレイ時間の経過後に、前記音楽の出力を終了し、及び／又は、終了を示す直接的若しくは間接的な画像を生成するステップと、を含み、
前記移動オブジェクトを表示する前記ステップは、
前記移動オブジェクトが前記応答オブジェクトに到達するタイミングが前記音楽に合うように、前記移動オブジェクトを制御するステップと、
前記移動オブジェクトが、その移動経路上の所定範囲内に存在するときに、対応する前記検出手段が踏み動作を検知した場合に、その移動オブジェクトの表示の様式を変化させるステップと、を含むコンピュータプログラム。
【請求項１３】
踏み動作を検出する複数の検出手段を含む入力装置を使用する運動支援方法をコンピュータに実行させるコンピュータプログラムであって、前記運動支援方法は、
音楽を再生するステップと、
前記複数の検出手段に対応し、各々対応する前記検出手段に応答する複数の応答オブジェクトを表示するステップと、
前記応答オブジェクトに対応する移動経路上で移動する移動オブジェクトを表示するステップと、
プレイヤからの入力情報を受けて、再生する音楽の数あるいは回数を設定するステップと、
設定された数あるいは回数の音楽の再生終了後に、終了を示す直接的若しくは間接的な画像を生成するステップと、を含み、
前記移動オブジェクトを表示する前記ステップは、
前記移動オブジェクトが前記応答オブジェクトに到達するタイミングが前記音楽に合うように、前記移動オブジェクトを制御するステップと、
前記移動オブジェクトが、その移動経路上の所定範囲内に存在するときに、対応する前記検出手段が踏み動作を検知した場合に、その移動オブジェクトの表示の様式を変化させるステップと、を含むコンピュータプログラム。
【請求項１４】
前記運動支援方法は、前記検出手段が踏まれたことを検知している期間中、対応する前記応答オブジェクトの表示を、前記検出手段が踏まれたことを検知していないときの前記応答オブジェクトの表示と異ならせるステップをさらに含む請求項１２又は１３記載のコンピュータプログラム。